(57)【要約】【課題】モニター上に表示される電子表が、多くの情報を表示し、かつ、選択された特定の情報を見やすく表示することができる電子表表示装置を提供すること。【解決手段】本発明の電子表表示装置は、情報をモニタ上の表に表示する電子表表示装置であって、表示形式が同一表内の他の枠と異なる特定枠を含む表で、かつ、固定された枠線を含む表を表示し、特定枠に選択された表示情報を表示することを特徴とする。特定枠に、表示される情報が見やすい表示形式で情報を表示することにより、使用者は、特定の情報を見やすく見ることができる。【選択図】  図２
2004297589.tif 000002
【特許請求の範囲】
【請求項１】
情報をモニタ上の表に表示する電子表表示装置において、
表示形式が同一表内の他の枠と異なる特定枠を含む表で、かつ、固定された枠線を含む表を表示し、前記特定枠に選択された表示情報を表示することを特徴とする電子表表示装置。
【請求項２】
行および列で特定される枠を含むマトリックス状の表に、表示情報を表示する表示部と、
前記表の枠線のデータを含む枠線情報と、前記表示情報を記憶する記憶部と、
前記表示部の表示を制御する演算部と、
を具備し、
前記表は、一部が固定された前記枠線と、さらに、一部に他の枠と表示形式が異なる特定枠を含み、
前記演算部は、選択された前記表示情報を、前記特定枠に表示するように前記表示部を制御する、
電子表表示装置。
【請求項３】
前記演算部は、前記他の枠の一つに表示されている表示情報が選択された場合、選択された該表示情報を前記特定枠に移動して表示する、
請求項２に記載された電子表表示装置。
【請求項４】
前記特定枠の幅と高さの少なくとも一方は前記他の枠の幅もしくは高さより広い、
請求項１〜３のいずれかに記載された電子表表示装置。
【請求項５】
前記特定枠に記載される文字の大きさは、前記他の枠の文字の大きさより大きい、
請求項１〜４のいずれかに記載された電子表表示装置。
【請求項６】
前記特定枠に表示される表示情報は、前記他の枠に表示される表示情報より多い、
請求項１〜５のいずれかに記載された電子表表示装置。
【請求項７】
前記特定枠以外の他の枠の大きさは、不均一である、
請求項１〜６のいずれかに記載された電子表表示装置。
【請求項８】
前記表は、番組表であり、
前記表の枠は、チャンネル番号と時間で特定され、
前記特定枠は、前記チャンネル番号で特定される行または列の幅が、他の行または列の幅より広い、
請求項１〜７のいずれかに記載された電子表表示装置。
【請求項９】
行および列で特定される枠を含むマトリックス状の番組表上に、番組情報を表示する表示部と、
前記行と前記列のいずれか一方の位置を指定する放送時刻情報と、他方の位置を指定するチャンネル情報と、前記番組情報とを関連付ける番組データを記憶し、さらに、前記チャンネル情報で指定され、前記番組表を前記行の方向もしくは前記列の方向に分離する複数の欄のうち、他の欄より幅が広い特定欄を含む前記番組表の枠情報を記憶する記憶部と、
前記放送時刻情報と前記チャンネル情報の選択を含む指令が入力される入力部と、
前記指令に応答して、選択された前記放送時刻情報を含む所定の時間域に対応する前記番組情報を前記記憶部から読み出し、かつ、選択された前記チャンネル情報を前記特定欄に割当て、他のチャンネル情報を前記チャンネル情報に含まれる記号もしくは数字の順に他の欄に割当て、さらに、前記番組情報を、該番組情報に関連付けられた前記放送日時情報と前記チャンネル情報で特定される前記番組表上の枠に表示するように前記表示部を制御する制御部と、
を具備する、
電子番組表表示装置。
【請求項１０】
さらに、前記制御部は、前記放送時刻情報に含まれる放送開始時間と放送終了時間を抽出して、前記番組情報ごとに、前記放送時刻情報の方向の枠の大きさを決定する、
請求項９に記載された電子番組表表示装置。
【請求項１１】
さらに、前記制御部は、前記チャンネル情報の変更を含む指令に応答して、新たに選択されたチャンネル情報を、前記特定欄に割当て、他のチャンネル情報を、前記チャンネル情報に含まれる記号もしくは数字の順に他の欄に割当てる、
請求項９もしくは１０に記載された電子番組表表示装置。
【請求項１２】
さらに、前記制御部は、前記入力部からの入力に応答して、前記記憶部に記憶されている前記枠情報に含まれ、前記チャンネル情報で指定される各欄の幅を変更する、
請求項９〜１１のいずれかに記載された電子番組表表示装置。
【請求項１３】
前記制御部は、前記枠の大きさが既定された大きさより小さくなる場合、前記表示情報の表示を行わず、表示される前記表示情報に含まれるジャンル情報を読み出して、前記ジャンル情報ごとに決められた記号もしくは色を、前記枠に表示する、
請求項９〜１２のいずれかに記載された電子番組表表示装置。
【請求項１４】
情報をモニタ上の表に表示する電子表表示方法において、
表示形式が同一表内の他の枠と異なる特定枠を含み、かつ、固定された枠線を含む表を表示するステップと、
前記特定枠に選択された表示情報を表示するステップと、
を含む電子表表示方法。
【請求項１５】
前記選択された表示情報と異なる表示情報が選択された場合に、該表示情報を前記特定枠に移動して表示するステップと、を含む
請求項１４に記載された電子表表示方法。
【請求項１６】
前記特定枠の幅と高さの少なくとも一方は前記他の枠の幅もしくは高さより広い、
請求項１４または１５のいずれかに記載された電子表表示方法。
【請求項１７】
前記特定枠に記載される文字の大きさは、前記他の枠の文字の大きさより大きい、
請求項１４〜１６のいずれかに記載された電子表表示方法。
【請求項１８】
前記特定枠に表示される表示情報は、前記他の枠に表示される表示情報より多い、
請求項１４〜１７のいずれかに記載された電子表表示方法。
【請求項１９】
前記特定枠以外の他の枠の大きさは、不均一である、
請求項１４〜１８のいずれかに記載された電子表表示方法。
【請求項２０】
前記表は、番組表であり、
前記枠は、チャンネル番号と時間で特定され、
前記特定枠は、前記チャンネル番号で特定される行または列の幅が、他の行または列の幅より広い、
請求項１４〜１９のいずれかに記載された電子表表示方法。
【請求項２１】
設定された第一情報の数に合わせて、他の欄と表示形式が異なる特定欄を含む欄情報を作成するステップと、
前記欄情報を記憶するステップと、
前記第一情報と第二情報に関連付けられた表示情報を記憶するステップと、
表の表示の指示に応答して、前記欄情報を読み出すステップと、
前記第一情報および前記第二情報を含む指定に応答して、指定された第一情報を前記特定欄に割当てるステップと、
前記指定された第一情報を基準に、他の第一情報を他の欄に割当てるステップと、
選択された前記第二情報を含む所定の範囲で、割当てられた前記第一情報に対応する前記表示情報を読み出して、表示するステップと、
を含む、
電子表表示方法。
【請求項２２】
設定されたチャンネル数に合わせて、他の欄の幅より広い特定欄を含む枠情報を作成するステップと、
前記枠情報を記憶するステップと、
チャンネルと放送日時に関連付けられた番組情報を記憶するステップと、
番組表の表示の指示に応答して、前記枠情報を読み出すステップと、
前記チャンネルおよび前記放送日時の指定に応答して、指定されたチャンネルを前記特定欄に割当てるステップと、
前記指定されたチャンネルを基準に、他のチャンネルを他の欄に割当てるステップと、
選択された前記放送日時の時刻を含む所定の時間域で、割当てられたチャンネルに対応する、前記番組情報を読み出して、表示するステップと、
を含む、
電子番組表表示方法。
【請求項２３】
前記番組情報を読み出して、表示するステップは、
前記番組情報に対応する放送開始時刻と放送終了時刻を抽出し、前記放送開始時刻と前記放送終了時刻に対応するように、前記番組情報ごとに各欄に枠を作成し、該番組情報を該枠に表示するステップを含む、
請求項２２に記載された電子番組表表示方法。
【請求項２４】
さらに、新たにチャンネルを指定する変更指令を受信するステップと、
前記変更指令に応答して、前記特定欄に新たに指定されたチャンネル情報を割当てるステップと、
前記新たに指定されたチャンネルを基準に、他のチャンネルを他の欄に割当てるステップと、
前記所定の時間域で、割当てられたチャンネルに対応する、前記番組情報を読み出して、表示するステップと、
を含む、
請求項２２または２３に記載された電子番組表表示方法。
【発明の詳細な説明】
【０００１】
【発明の属する技術分野】
本発明は、表示装置に関し、特に、表に表示情報を表示する電子表表示装置に関する。
【０００２】
【従来の技術】
テレビジョン放送の映像・音声信号に文字情報などを含むデジタルデータを重畳した文字多重放送が実用化されている。文字多重放送で提供される情報（以下：文字多重情報）の一つとして、テレビジョン放送の放送番組の番組名や放送時間等を含む電子番組表がある。電子番組表は、テレビジョンなどの表示装置に表示される。
なお、電子番組表の配信方法として、文字多重放送のほかに、個別の電波領域を使用して配信する方法、インターネットやケーブルなどのネットワークを介して配信する方法が使用される場合がある。
【０００３】
これらの、電子番組表は、ＥＰＧ（Ｅｌｅｃｔｒｉｃａｌ  Ｐｒｏｇｒａｍ  Ｇｕｉｄｅ：電子番組情報ガイド）を使用して配信される場合がある。
【０００４】
従来の電子番組表では、表示するチャンネル数が多い場合、全体を表示できず、スクロールして表示範囲を選択する必要がある場合がある。また、選択された枠を拡大して表示する場合、もしくは、選択された枠を別途拡大して番組表に重ねて表示する場合、もしくは、別に表示欄を設けて選択された枠の内容を拡大して表示する場合等、がある。
【０００５】
番組枠の幅を均等にし、かつ、多くのチャンネルの情報を表示する場合、一つ一つの番組枠が小さくなってしまい、情報を表示しきれない場合がある。
選択された枠を拡大して表示する場合、番組表全体の枠組みを変更するため、変更のための演算量が増加し、表示に時間が掛かる場合がある。さらに、時間軸方向にも拡大すると、他の時間帯の番組との長さの関係が理解し難くなる場合がある。
番組表をスクロールする場合、対象の全体が見えず、表示されていない番組情報を比較し難い場合がある。
選択された枠を別途拡大して番組表に重ねて表示する場合、重なった部分の番組情報が見えない場合がある。
別に表示欄を設けて選択された枠の内容を拡大して表示する場合、拡大されているのが番組表の中のどの位置の番組かが分かり難くなる場合がある。また、使用者の目線の移動量が多いため、視認性が低下する場合がある。
【０００６】
使用者が、特定の時間帯の番組を容易に比較できるように、全てのもしくはより多くのチャンネルの情報が表示されることが好ましい。
さらに、使用者が指定した番組が、見やすい位置に拡大されて表示されることが好ましい。さらに、表示の切替速度が速いことが好ましい。
【０００７】
それぞれ異なる番組に関する複数の第１の情報と、それぞれ前記第１の情報と対応し、対応する前記第１の情報よりも詳細な情報を含む複数の第２の情報とが記憶される記憶手段と、前記記憶手段に記憶された前記複数の第１の情報に対応する複数の表示枠を設け、対応する前記複数の第１の情報を各表示枠内に入れた番組表を表示する表示手段と、前記表示手段に表示された番組表中の前記複数の第１の情報のうち所望の第１の情報を指示する指示手段と、前記指示手段によって指示された第１の情報に対応する前記複数の第２の情報を前記記憶手段から取得する情報取得手段と、前記情報取得手段が取得した第２の情報に従って、前記表示手段に表示されている複数の表示枠のうちの対応する表示枠を拡大させ、該拡大された表示枠内に第１の情報と共に前記情報取得手段が取得した第２の情報を入れて前記表示手段に表示させる表示制御手段と、を備えることを特徴とする番組表表示装置の発明が開示されている（例えば特許文献１）。
【０００８】
予め決められたチャンネル及び時間帯のＥＰＧ情報の全部または一部を表示させ、所定のズーム命令に応じてその直前に表示されていたチャンネル及び時間帯よりも多いもしくは少ないチャンネル数または時間帯のＥＰＧ情報を表示させ、その際前記ズーム命令の倍率に応じた情報量を選択して表示させることを特徴とするＥＰＧ情報表示方法が開示されている（例えば特許文献２）。
【０００９】
ディジタル放送受信機に用いられ、各放送局から放送されている番組案内データと現在の時刻を利用して、チャンネル番号または放送局名の表示方向の軸と時間軸とで構成された２次元の番組案内表示枠内に番組内容を挿入した番組案内画面を選択的に表示する番組案内表示装置において、前記番組案内表示枠内で現在時刻もしくはユーザ指定時刻の番組部分を他の部分より広く表示する表示制御手段を備えることを特徴とする番組案内表示装置が開示されている（例えば特許文献３）。
【００１０】
【特許文献１】
特開平１１−１５５１１０号公報
【特許文献２】
特開２０００−１１５６５２号公報
【特許文献３】
特開平１１−３１３２９１号公報
【００１１】
【発明が解決しようとする課題】
本発明の目的は、モニター上に表示される電子表が、多くの情報を表示し、かつ、選択された特定の情報を見やすく表示する電子表表示装置を提供することにある。
本発明の他の目的は、特定の時間域の番組表において、多くのチャンネルの番組情報を表示でき、さらに選択された特定のチャンネルの番組情報を見やすく表示できる電子番組表表示装置を提供することにある。
本発明の他の目的は、選択された特定のチャンネルを拡大して表示することができ、さらに選択されたチャンネルの表示および変更を従来の装置より速く実施することができる電子番組表表示装置を提供することにある。
【００１２】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１３】
本発明の電子表表示装置は、情報をモニタ上の表に表示する電子表表示装置であって、表示形式が同一表内の他の枠と異なる特定枠を含む表で、かつ、固定された枠線を含む表を表示し、特定枠に選択された表示情報を表示することを特徴とする。
【００１４】
本発明の電子表表示装置（１００）は、行および列で特定される枠を含むマトリックス状の表（１０）に、表示情報を表示する表示部（３００）と、表の枠線のデータを含む枠線情報と、表示情報を記憶する記憶部（１５０）と、表示部（３００）の表示を制御する演算部（１４０）と、を具備する。
表（１０）は、一部が固定された枠線と、さらに、一部に他の枠と表示形式が異なる特定枠を含む。
演算部（１４０）は、選択された表示情報を、特定枠に表示するように表示部を制御する。
特定枠に、表示される情報が見やすい表示形式で情報を表示することにより、使用者は、特定の情報を見やすく見ることができる。
【００１５】
本発明の電子表表示装置（１００）は、行および列で特定される枠を含むマトリックス状の表（１０）に表示情報を表示する表示部（３００）と、表示部（３００）の表示を制御する演算部（１４０）を含む。
表（１０）は、枠を示す線が固定され、さらに、一部に他の枠と表示形式が異なる特定枠を含む。
演算部（１４０）は、選択された表示情報を、特定枠に表示するように表示部（３００）を制御する。
【００１６】
演算部（１４０）は、他の枠の一つに表示されている表示情報が選択された場合、選択された該表示情報を特定枠に移動して表示する。
枠を固定し、選択された情報が、特定枠に移動し表示されることにより、所定の情報を見やすく表示でき、かつ、枠の組換えがないので、変更を速く表示することができる。
【００１７】
さらに、上記の特定枠の幅もしくは高さは他の枠の幅もしくは高さより広い。特定枠の幅もしくは高さが、他の枠の幅もしくは高さより広いことが、情報を見やすく表示するために好適である。
【００１８】
さらに、上記の特定枠に記載される文字の大きさは、他の枠の文字の大きさより大きい。
特定枠に記載される文字の大きさが、他の枠の文字の大きさより大きいことが、情報を見やすく表示するために好適である。
【００１９】
さらに、上記の特定枠に表示される表示情報は、他の枠に表示される表示情報より多い。
特定枠に表示される表示情報が、他の枠に表示される表示情報より多いことが、特定の情報を詳細に表示するために好適である。
【００２０】
さらに、上記の特定枠以外の他の枠の大きさは、不均一である。
特定枠以外の他の枠の大きさに重み付けを行い、一部の枠を小さくすることで、多くの枠を表示することができる。
【００２１】
上記の表（１０）は、番組表である。
枠は、チャンネル番号と時間で特定され、特定枠は、チャンネル番号で特定される行または列の幅が、他の行または列の幅より広い。
本発明の、電子表示装置は、番組表を表示するのに好適である。
【００２２】
本発明の電子番組表表示装置は、表示部（３００）、記憶部（１５０）、入力部（２００）、制御部（１４０）とを具備する。
表示部（３００）は、行および列で特定される枠を含むマトリックス状の番組表（１０）上に、番組情報を表示する。
記憶部（１５０）は、行と列のいずれか一方の位置を指定する放送時刻情報と、他方の位置を指定するチャンネル情報と、番組情報とを関連付ける番組データを記憶し、さらに、チャンネル情報で指定され、番組表（１０）を行の方向もしくは列の方向に分離する複数の欄のうち、他の欄より幅が広い特定欄（３０−２）を含む番組表（１０）の枠情報を記憶する。
入力部（２００）には、放送時刻情報とチャンネル情報の選択を含む指令が入力される。
制御部（１４０）は、指令に応答して、選択された放送時刻情報を含む所定の時間域に対応する番組情報を記憶部（１５０）から読み出し、かつ、選択されたチャンネル情報を特定欄（３０−２）に割当て、他のチャンネル情報をチャンネル情報に含まれる記号もしくは数字の順に他の欄に割当て、さらに、番組情報を、該番組情報に関連付けられた放送日時情報とチャンネル情報で特定される番組表（１０）上の枠に表示するように表示部（３００）を制御する。
【００２３】
さらに、本発明の電子番組表表示装置の制御部（１４０）は、放送時刻情報に含まれる放送開始時間と放送終了時間を抽出して、番組情報ごとに、放送時刻情報の方向の枠の大きさを決定する。
【００２４】
さらに、本発明の電子番組表表示装置の制御部（１４０）は、チャンネル情報の変更を含む指令に応答して、新たに選択されたチャンネル情報を、特定欄（３０−２）に割当て、他のチャンネル情報を、チャンネル情報に含まれる記号もしくは数字の順に他の欄に割当てる。
【００２５】
さらに、本発明の電子番組表表示装置の制御部（１４０）は、入力部（２００）からの入力に応答して、記憶部（１５０）に記憶されている枠情報に含まれ、チャンネル情報で指定される各欄の幅を変更する。
【００２６】
本発明の電子番組表表示装置の制御部（１４０）は、枠の大きさが既定された大きさより小さくなる場合、表示情報の表示を行わず、表示される表示情報に含まれるジャンル情報を読み出して、ジャンル情報ごとに決められた記号もしくは色を、枠に表示する。
【００２７】
本発明の電子表表示方法は、情報をモニタ上の表に表示する電子表表示方法であって、以下のステップを含む。
表示形式が同一表内の他の枠と異なる特定枠（３０−２）を含み、かつ、固定された枠線を含む表を表示するステップ。
特定枠に選択された表示情報を表示するステップ。
【００２８】
さらに、本発明の電子表表示方法は、以下のステップを含む。
特定枠に表示された表示情報と異なる表示情報が選択された場合に、該表示情報を特定枠に移動して表示するステップ。
【００２９】
さらに、本発明の電子表表示方法において、特定枠の幅と高さの少なくとも一方は、他の枠の幅もしくは高さより広い。
【００３０】
さらに、本発明の電子表表示方法において、特定枠に記載される文字の大きさは、他の枠の文字の大きさより大きい。
【００３１】
さらに、本発明の電子表表示方法において、特定枠に表示される表示情報は、他の枠に表示される表示情報より多い。
【００３２】
さらに、本発明の電子表表示方法において、特定枠以外の他の枠の大きさは、不均一である。
【００３３】
さらに、本発明の電子表表示方法において、該表は、番組表であり、枠は、チャンネル番号と時間で特定され、特定枠は、前記チャンネル番号で特定される行または列の幅が、他の行または列の幅より広い。
【００３４】
本発明の電子番組表表示方法は、以下のステップを含む。
設定された第一情報の数に合わせて、他の欄の幅より広い特定欄（３０−２）を含む欄情報を作成するステップ。
欄情報を記憶するステップ。
第一情報と第二情報に関連付けられた表示情報を記憶するステップ。
表の表示の指示に応答して、欄情報を読み出すステップ。
第一情報および第二情報の指定に応答して、指定された第一情報を特定欄（３０−２）に割当てるステップ。
指定された第一情報を基準に、他の第一情報を他の欄に割当てるステップ。
選択された第二情報を含む所定の範囲で、割当てられた第一情報に対応する表示情報を読み出して、表示するステップ。
【００３５】
本発明の電子番組表表示方法は以下のステップを含む。
設定されたチャンネル数に合わせて、他の欄の幅より広い特定欄（３０−２）を含む枠情報を作成するステップ。
枠情報を記憶するステップ。
チャンネルと放送日時に関連付けられた番組情報を記憶するステップ。
番組表（１０）の表示の指示に応答して、枠情報を読み出すステップ。
チャンネルおよび放送日時の指定に応答して、指定されたチャンネルを特定欄（３０−２）に割当てるステップ。
指定されたチャンネルを基準に、他のチャンネルを他の欄に割当てるステップ。
選択された放送日時の時刻を含む所定の時間域で、割当てられたチャンネルに対応する、番組情報を読み出して、表示するステップ。
【００３６】
さらに、番組情報を読み出して、表示するステップは、番組情報に対応する放送開始時刻と放送終了時刻を抽出し、放送開始時刻と放送終了時刻に対応するように、番組情報ごとに各欄に枠を作成し、該番組情報を該枠に表示するステップを含む。
【００３７】
さらに、本発明の電子番組表表示方法は以下のステップを含む。
さらに、新たにチャンネルを指定する変更指令を受信するステップと、
変更指令に応答して、特定欄（３０−２）に新たに指定されたチャンネル情報を割当てるステップ。
新たに指定されたチャンネルを基準に、他のチャンネルを他の欄に割当てるステップ。
所定の時間域で、割当てられたチャンネルに対応する、番組情報を読み出して、表示するステップ。
【００３８】
【発明の実施の形態】
添付図面を参照して、本発明による電子表表示装置の実施の形態を以下に説明する。以下では、電子表表示装置として電子番組表表示装置の例が示されるが、番組表に限定されない。
【００３９】
図１を参照して、本発明の電子番組表表示装置１００の構成が説明される。
電子番組表表示装置１００は、チューナ１２０、信号処理回路１３０、ＣＰＵ１４０、メモリ１５０、リモコン入力制御部１６０、オンスクリーンディスプレイ制御部（以下：ＯＳＤ制御部）１７０、表示制御部１８０を具備する。さらに、電子番組表示装置１００は、アンテナ１１０、リモコン２００、表示装置３００、スピーカ４００に接続されている。
【００４０】
本発明の電子番組表表示装置１００は、文字放送対応のテレビジョン装置に、搭載される受信装置に例示される。もしくは、ビデオ録画再生機やＤＶＤ録画再生機などに搭載される受信部分に例示される。
本実施の形態では、電子番組表表示装置１００が、文字多重放送から、番組表の表示内容を含む番組情報を受信する場合が説明されるが、アンテナ１１０から電波による放送を受信する代わりに、インターネットやケーブル放送から信号を受信する場合もある。
【００４１】
チューナ１２０は、アンテナ１１０で受信した電波の選局を行う。チューナは選局した受信電波を受信信号ａ１として信号処理回路１３０に送出する。
【００４２】
信号処理回路１３０は、番組情報処理回路１３１と動画／音声処理回路１３２を具備する。番組情報処理回路１３１は、チューナから受信した音声多重放送の受信信号ａ１から、番組情報を含む文字放送領域で使用されている番組信号ａ２を分離してＣＰＵ１４０に送出する。動画／音声処理回路１３２は、チューナ１２０から受信した音声多重放送の信号から、動画情報を含む動画信号ａ５を分離して表示制御部１８０に送出し、音声情報を含む音声信号ａ６を分離してアンプ１９０に送出する。
【００４３】
ＣＰＵ１４０は、番組表の作成や、入力に応答して表示変更のための演算を行う演算装置である。ＣＰＵ１４０は、番組表の初期設定を行う場合もある。ＣＰＵ１４０は、番組信号ａ２の受信や、リモコン入力制御部１６０から指令信号ａ４に応答して、所定の手順（プログラム）により演算処理を行う。本発明を実施するための演算処理の動作は後述される。ＣＰＵ１４０により作成された番組表の表示や変更の命令を含む番組表制御信号ａ３はＯＳＤ制御部１７０に送出される。番組表制御信号ａ３は、番組表に表示される番組情報と、番組表の枠を作成するための枠情報を含む。
【００４４】
メモリ１５０は、番組信号ａ２に含まれる番組情報やＣＰＵ１４０で作成される枠情報を書込み読出し可能に記憶する記憶装置である。
【００４５】
リモコン入力制御部１６０は、使用者からの指示を含む指示信号ａ４をリモコン２００から受信して、ＣＰＵ１４０に送出する。
【００４６】
ＯＳＤ制御部１７０は、表示装置３００の画面に表示される図形や文字出力の制御を行う。ＯＳＤ制御部１７０は、ＣＰＵ１４０でデジタルデータとして作成される番組情報や枠情報を含む番組表制御信号ａ３を、表示制御部１８０で使用可能なように信号処理を行う。ＯＳＤ制御部１７０は、番組表制御信号ａ３を処理した信号を番組表表示信号ａ７として、表示制御部１８０に送出する。
【００４７】
表示制御部１８０は、動画／音声処理回路１３２から受信した動画信号ａ５と、ＯＳＤ制御部１７０から受信した番組表表示信号ａ７を選択して、もしくは、統合して表示信号ａ８として表示装置３００に送出する。
【００４８】
アンテナ１１０は、電波放送を受信する。
リモコン２００は、使用者が、チャンネルの切替や番組表の表示・変更を行う入力装置である。
表示装置３００は、テレビのディスプレイ部分に例示される表示装置である。表示装置３００は、表示信号ａ８を受信して、動画もしくは番組表を表示する。
スピーカ４００は、音を出力する。
【００４９】
次に、図２、３を参照して本発明の電子番組表表示装置１００で作成され、表示装置３００に表示される番組表１０が説明される。
番組表１０には、Ｘ軸方向にチャンネル情報３０が、Ｙ軸方向に時刻情報５０が配置される。チャンネル情報３０の一番上の列４０には、その欄に表示されるチャンネル名が表示される。時刻情報５０の一番左の行２０には、番組が放送される時刻が示される。
番組表１０上では、チャンネル名で特定される欄と、時刻により特定される欄で形成される枠に、番組情報が表示される。図２、３では、各枠に表示される番組情報の記載は省略されているが、実際は表示される。
【００５０】
チャンネル情報を示すチャンネル情報欄３０−１〜３０−８の数は番組表の初期設定時に決定され、変更されなければ固定である。番組表の初期設定については後述される。
さらに、チャンネル情報欄３０−１〜３０−８の幅は均一でない。すなわち、番組表１０は、他のチャンネル情報欄より幅が広い拡大欄３０−２を含む。各チャンネル情報欄３０−１〜３０−８の幅は初期設定時に決定され、変更されなければ固定である。
【００５１】
図２の例では、一番幅広い拡大欄３０−２、２番目に幅広い欄３０−１、３０−３、３番目に幅広い欄３０−４、３０−５、幅の狭い欄３０−６〜３０−８に区切られている。
幅の広い拡大欄３０−２を設けることで、拡大欄３０−２に表示される番組情報を大きく表示すること、もしくは、拡大欄３０−２に番組情報を多く表示することができる。
幅の狭い欄を設けることで、画面中に全ての、もしくはより多くのチャンネル情報を表示することができる。
【００５２】
拡大欄３０−２には、使用者により選択されたチャンネルの情報が表示される。図２では２チャンネルが使用者に選択されたことに応答して、２チャンネルが拡大欄３０−２に表示された場合を示す。使用者が、５チャンネルを選択した場合、図３に示されるように５チャンネルが拡大欄３０−２に表示される。この時、チャンネル情報欄３０の区切りは固定され、チャンネル情報のみが移動する。
各チャンネル同士の関係が変わらないように表示の順番は変更されないことが好ましいが、一方の端の欄外になる場合は、他方の端の欄に順次移動して表示される。また、使用者が、チャンネルを表示する順番を設定する場合もある。
【００５３】
拡大欄３０−２は、番組情報を大きく、もしくは情報量を多く表示できる幅に設定されることが好ましい。その周りの次に幅の広い欄３０−１、３０−３は、番組のタイトルが判別できる程度の幅に設定されている場合がある。その次に幅の広い欄３０−４、３０−５は、番組のタイトルの一部が判別できる程度の幅に設定されている場合がある。さらに、一番幅の狭い欄３０−６〜３０−１０は、最小の幅として、番組のジャンル表示が可能な幅に設定されている場合がある。番組のジャンル表示は、記号の場合、もしくは欄の色の変更により表示される場合がある。
【００５４】
図２のように、拡大欄３０−２を中心に順に欄の幅が変化することは、使用者が注目している拡大欄３０−２からの目線の動きが少なく、かつ、周辺でも欄の幅に応じた情報量を見ることができるため好ましい。
選択した拡大欄３０−２の位置が移動せず、選択した番組情報が表示されることは、目線の移動が少ないため好ましい。
【００５５】
Ｙ軸の時刻情報５０の欄５０−１〜５０−６は、時刻ごとに均一に分割されている。時刻ごとに均一に分割されていることは、番組表上の各番組情報の表示のＹ軸方向の長さが、放送の時間に対応して、可視的に番組の長さを把握することができるため好ましい。具体的には、Ｙ軸方向に、２時間の番組は、１時間の番組の２倍の長さで表示される。
【００５６】
さらに、時刻情報５０の表示される範囲は、使用者が選択した時刻を含む所定の時間域である。具体的には、１９：００を指定すると、１９：００から６時間分の時間域の情報が表示されることに例示される。初期設定により使用者は選択した時刻を表示する位置を変更することができる。具体的には、選択された時刻を時刻情報欄５０の最上部に表示すること、もしくは時刻情報５０の中心に表示することに例示される。さらに、表示される時刻情報５０の時間域は、番組表の初期設定により設定できる。具体的には、６時間分の表示や、３時間分の表示を設定することに例示される。番組表の初期設定については後述される。
表示される時間域が限られる場合は、画面をスクロールして表示範囲を変更することができる。
【００５７】
このように、番組表１０のチャンネル情報欄３０の幅が不均一に設定され、使用者に選択されたチャンネルの番組情報が幅の広い欄に読めるように表示されることは好ましい。さらに、全ての、もしくはより多くのチャンネル情報３０が同一画面に表示され、比較対照となる同じ時間帯の番組を把握することが容易になることは好ましい。
さらに、選択されたチャンネルが表示される欄からの距離に応じて、欄の幅が変更されることは、目線の移動が少なく、近くの欄から情報を認識できるため好ましい。
さらに、Ｙ軸方向（時刻情報欄５０）は、時刻間隔に合わせて均等に配置されることが、番組の時間を可視的に把握するために好ましい。
【００５８】
番組表１０の変形例として、図６の番組表１１、図７の番組表１２の例が説明される。
図６で示される番組表１１は、拡大された特定欄が複数ある場合が示される。具体的には、２つの特定欄３１−１、３１−２の一方に、使用者により選択されたチャンネルの情報が示される。もう一方にはその隣のチャンネルの情報が示される。他のチャンネル情報欄３１−３〜３１−８は、段階的に徐々に小さくなっている。このように、複数の番組を拡大して表示することで、番組情報を認識できる欄を多くすることができる。もしくは、一番左の欄３１−１に第一候補として選択したチャンネル情報を表示させ、この表示を固定し、比較したいチャンネルを隣の欄３１−２に順次選択して表示させることにより、使用者は番組の比較を容易にすることができる。
【００５９】
図７で示される番組表１２は、特定欄３１−１が一番左に表示され、他の欄３２−２〜３２−８が均等に割当てた場合が示される。このように表示することにより、均等に分配してもある程度番組情報が表示される場合には、使用者が全ての番組の情報をラフに認識できる。
もしくは、チャンネル数が多く、不均一に分割しても表示できる情報量が限定される場合、もしくは、狭い欄の幅が既定される最小値以下になって、認識可能に情報が表示できない場合には、、他の欄３２−２〜３２−８を均等に割当てる場合がある。
【００６０】
なお、特定欄は、拡大される場合に限定されず、文字・書式の変更、文字サイズの変更、枠内の着色、文字の着色、書式の変更の場合がある。さらに、表示情報に重み付けがなされ、選択された表示情報が特定欄に表示される時に、情報量が多くなるように制御される場合がある。
【００６１】
次に図４を参照して、電子番組表表示装置１００の初期設定の手順が説明される。
電子番組表表示装置１００は、新たに使用される場合もしくは使用される地域が変更される場合などに、受信する放送局（周波数）に対応するチャンネルを設定する必要がある。チャンネルの設定方法は、地域ごと記憶されているチャンネルと放送局（周波数）の設定の変更、もしくは、自動受信検索などで受信できる放送局（周波数）を検出してチャンネルへ割当てることによる変更、もしくは、使用者がチャンネルと放送局（周波数）をマニュアルで設定する変更などに例示される。チャンネル設定により、チャンネルに放送局が割当てられ、使用されるチャンネル数が設定される（Ｓａ１）。
【００６２】
ＣＰＵ１４０により、番組表枠の設定が行われる（Ｓａ２）。
ＣＰＵ１４０は、設定されたチャンネル数から、番組表１０に表示されるチャンネル情報欄の数を設定する。さらに、選択されたチャンネルが表示される拡大欄の位置を設定する（Ｓａ３）。拡大欄の位置は、使用者による設定の入力により変更できる場合がある（Ｓａ４）。
さらに、ＣＰＵ１４０は、表示できる番組表の大きさから、チャンネル情報の各欄の幅を設定する（Ｓａ５）。幅の設定方法は、拡大欄の幅を既定された幅に決定し他の欄の幅を残りの範囲で均等に割り振る方法、拡大欄の幅を既定された幅に決定し拡大欄からの距離により幅を変更して残りの範囲を割り振る方法、決められた所定の割合で幅を割する方法などがある。その他、既定される拡大欄の幅および、設定される各欄の幅は、使用者が設定値の入力により変更できる場合がある。
【００６３】
さらに、ＣＰＵ１４０は、時刻情報の欄の幅を決定する。ＣＰＵ１４０は、番組表１０に表示される時間域の長さを決定する。さらに、ＣＰＵ１４０は、使用者により選択された時刻を、その時間域のどの部分に表示するか決定する。番組表の大きさと時間域の長さにより、時刻情報の欄の幅（Ｙ軸）が均等に割り振られる。表示される時間域の長さと、選択された時刻が表示される位置は、初めから設定されている場合と、使用者の設定の入力（Ｓａ８）により設定される場合がある。
【００６４】
ＣＰＵ１４０は番組表枠の設定（Ｓａ２）結果から、実際に番組表１０の線を描画するための枠情報を作成し、メモリ１５０に記憶する（Ｓａ１０）。この時、各チャンネル情報欄において番組情報の区切りを示す区切り線は決められていない。この段階で、どのチャンネル情報欄にどのチャンネルの情報が表示されるか未定であるためである。
以上で初期設定が終了する。
【００６５】
次に図５を参照して、番組表の作成／変更方法が説明される。
本発明の電子番組表表示装置１００は、番組情報を順次受信している。
ＣＰＵ１４０は、番組情報処理回路１３１から番組の内容を含む番組情報を受信する（Ｓｔ１）。
番組情報は、メモリ１５０に記憶される（Ｓｔ２）。
番組情報が記録された番組データ６０の例が図８に示される。
番組データ６０は、その番組が放送される日付６１、チャンネル６２、その番組の開始時刻６３、終了時刻６４、番組名６５、番組詳細６６、ジャンル６７、モード６８、録画コード６９を含む。
番組詳細６６は、番組の内容に関する情報、サブタイトル、出演者の情報に例示される。ジャンル６７は、ニュース、ドキュメンタリ、スポーツ、バラエティ、音楽、などに例示される番組の種類を示す。モード６８は、文字多重放送、二ヶ国語放送、ハイビジョン放送などに例示される放送の種類を示す。
録画コード６９は、Ｇコードに例示される録画番組指定のための情報を示す。
【００６６】
番組情報は、文字多重放送に合わせて順次送信されているので、ＣＰＵ１４０は、順次受信する番組情報を、順次、メモリ１４０の番組データ６０に記憶している。
また、ＣＰＵ１４０は、放送終了時間から一定期間経過したものは、メモリ１５０の番組データ６０から消去する。
【００６７】
ＣＰＵ１４０は、使用者がリモコン２００を使用して指定した番組表表示の指示に応答して、表示画面を番組表表示モードに切り替える（Ｓｔ３）。
ＣＰＵ１４０は、指示に応答して、番組表作成を開始する。ＣＰＵ１４０は、メモリ１５０に記憶されている枠情報を読出す（Ｓｔ４）。
さらに、ＣＰＵ１４０は、使用者の指示信号から、チャンネル選択の情報と、時刻選択の情報を抽出する（Ｓｔ５）。
次に、ＣＰＵ１４０は、選択されたチャンネルを拡大欄に割当て、その他のチャンネルを順に他の枠に割り当てる（Ｓｔ６）。
【００６８】
次に、ＣＰＵ１４０は、選択された時刻を、初期設定で決められている位置に設定し、表示する時間域で時刻情報の欄を設定する。さらに、ＣＰＵ１４０は、番組データ６０を参照して、チャンネル毎の番組の放送開始時間と終了時間を抽出して、各チャンネル情報欄ごとに区切りを設定して番組ごとの枠を作成する（Ｓｔ７）。
【００６９】
次に、ＣＰＵ１４０は、各枠の位置および大きさと、番組情報として表示する文字を表示する座標を計算する（Ｓｔ８）。この時、ＣＰＵ１４０は、表示される枠の大きさにより表示する情報を変更する場合がある。具体的には、拡大欄には、番組名６５、番組詳細６６、ジャンル６７、およびモード６８を表示するが、少し狭い枠には、番組名６５とジャンル６７のみを表示し、もっと狭い欄にはジャンル６７のみを色または記号のみで表示するといった選択である。
さらに、ＣＰＵ１４０は、枠の大きさに合わせて、表示する文字のフォントのサイズを変更する場合がある。具体的には、大きな枠には番組情報ができるだけ大きく表示できる大きさに、もしくは既定された範囲で最大の大きさに、フォントを大きくする。小さい枠には、番組情報が表示できる大きさに、もしくは既定された範囲の最小の大きさに、フォントを小さくする。
【００７０】
続いて、ＣＰＵ１４０は、枠情報と、番組情報と、上記で計算した座標計算結果を含む番組表制御信号ａ３を、ＯＳＤ制御部１７０に送出し、表示制御部１８０を介して、表示装置３００に表示させる（Ｓｔ９）。ＣＰＵ１４０は、表示対象の全てのチャンネルに対して番組表制御信号ａ３を作成したか判断する（Ｓｔ１０）。表示対象の全てのチャンネルに対して番組表制御信号ａ３を作成したか判断するのは、表示装置３００に表示させるステップ（Ｓｔ９）の前でも良い。
ＣＰＵ１４０は、全てのチャンネルについて、番組表制御信号ａ３を作成していなければ、番組表の表示が完了されていないと判断して、ステップＳｔ７〜Ｓｔ９を繰り返し、全てのチャンネルについて表示するように番組表制御信号ａ３を作成する。
ＣＰＵ１４０は、全てのチャンネルについて表示が完了すれば、番組表表示が完了したと判断してスタンバイの状態となる（Ｓｔ１１）。
【００７１】
スタンバイの状態で、リモコンからの指令信号が入力された場合、ＣＰＵ１４０はその指令信号が終了指示であるか識別する（Ｓｔ１２）。終了指示であれば、ＣＰＵ１４０は番組表表示モードを終了して、番組表の表示を終了し、表示装置３００を他の表示モードに戻す（Ｓｔ１３）。
指令信号が終了指示でなければ、ＣＰＵ１４０は、指令信号に含まれるチャンネル指示もしくは時刻指示が含まれるか検索し、チャンネル指示もしくは時刻指示が含まれていれば、ステップＳｔ５に戻って、番組表変更のために、ステップＳｔ５〜Ｓｔ１１を繰り返す（Ｓｔ１４）。指令信号にチャンネル指示もしくは時刻指示が含まれていなければ、スタンバイ状態に戻る。
【００７２】
上記のような番組表表示方法では、選択されたチャンネルの番組表示を拡大する場合に、チャンネル情報欄の幅の変更が無く、欄の幅を変更するための演算をする必要がない。このため、選択された枠の幅を変更する場合に枠全体を組み直す方法に比べ、演算量が少なく、表示または表示変更の速度を速くすることができる。
使用者が番組表をすばやく検索したい場合、番組表の表示や表示変更の速度が速いことは好ましい。さらに、演算量が少なくなることは、チャンネル数が多い場合、もしくは、ＣＰＵ１４０の能力が低い場合に対応が可能となり、好ましい。
【００７３】
なお、上記のような表の表示の処理方法は、テレビの番組表の表示に限定されない。Ｘ軸とＹ軸で特定される枠に、そのＸ軸の情報とＹ軸の情報で特定される情報が表示される表であれば適用可能である。
もしくは、大きな枠を設けその枠に見たい情報を移動させることにより、その情報を拡大させ、もしくは情報量を増やして表示させる場合は、１軸でもよい。
具体的には、携帯電話の複数の着信メール表示において、大きな枠に移動させたメールは内容の一部を表示し、他のメールは発信者のみを表示させる場合に例示される。
【００７４】
【発明の効果】
本発明の電子番組表表示装置は、特定の時間域の番組表において、多くのチャンネルの番組情報を表示でき、さらに選択された特定のチャンネルの番組情報を見やすく表示できる。
本発明の電子番組表表示装置は、選択された特定のチャンネルを拡大して表示することができ、さらに選択されたチャンネルの表示および変更を従来の装置より速く実施することができる。
【図面の簡単な説明】
【図１】図１は、電子番組表表示装置の構成を示すブロック図である。
【図２】図２は、表示装置の画面に表示される番組表を示す図である。
【図３】図３は、チャンネルを変更した場合の番組表を示す図である。
【図４】図４は、初期設定の手順を示す図である。
【図５】図５は、番組表の作成／変更の手順を示す図である。
【図６】図６は、番組表の変形例を示す図である。
【図７】図７は、番組表の変形例を示す図である。
【図８】図８は、番組情報が記録される番組データを示す図である。
【符号の説明】
１００  電子番組表表示装置
１１０  アンテナ
１２０  チューナ
１３０  信号処理回路
１４０  ＣＰＵ
１５０  メモリ
１６０  リモコン入力制御部
１７０  オンスクリーンディスプレイ制御部（ＯＳＤ制御部）
１８０  表示制御部
２００  リモコン
３００  表示装置
４００  スピーカ
１０  番組表
２０  一番左の行
３０−１〜３０−８  チャンネル情報欄
３１−１〜３１−８  チャンネル情報欄
３２−１〜３２−８  チャンネル情報欄
４０  一番上の列
５０−１〜５０−６  時刻情報欄
６０  番組データ
６１  日付
６２  チャンネル
６３  開始時刻
６４  終了時刻
６５  番組名
６６  番組詳細
６７  ジャンル
６８  モード
６９  録画コード
【図１】
2004297589.tif 000003
【図２】
2004297589.tif 000004
【図３】
2004297589.tif 000005
【図４】
2004297589.tif 000006
【図５】
2004297589.tif 000007
【図６】
2004297589.tif 000008
【図７】
2004297589.tif 000009
【図８】
2004297589.tif 000010